(57)【要約】【課題】ＴＶ自体が再生する画像と、ＰＣからの画像を同時かつより適切に表示することが可能なＴＶを提供すること。【解決手段】ＴＶ１００が、ＰＣ画像とＴＶ画像を含むマルチ画像の表示状況になったかどうかを判定する判定部１５０と、当該表示状況になった場合、ＰＣに所望の画像を含むウインドウを最大化して当該画像を表示するためのＰＣ画像信号を出力させるための制御情報を前記ＰＣに出力するとともに、前記ＰＣから前記ＰＣ画像信号を入力する入出力部１１０と、前記ＰＣ画像信号に基づくＰＣ画像と、チューナー部１６０によって受信された画像信号に基づくＴＶ画像とを含むマルチ画像を生成する画像生成部１８０と、当該マルチ画像を表示する表示部１８２とを含んで構成される。【選択図】図３
2008079112.tif 000002
【特許請求の範囲】
【請求項１】
ＰＣ画像とＴＶ画像を含むマルチ画像の表示状況になったかどうかを判定する判定部と、
当該表示状況になった場合、ＰＣに所望の画像を含むウインドウを最大化して当該画像を表示するためのＰＣ画像信号を出力させるための制御情報を前記ＰＣに出力するとともに、前記ＰＣから前記ＰＣ画像信号を入力する入出力部と、
前記ＰＣ画像信号に基づくＰＣ画像と、内部に記憶された画像データに基づく画像信号またはＴＶ用チューナーによって受信された画像信号に基づくＴＶ画像とを含むマルチ画像を生成する画像生成部と、
当該マルチ画像を表示する表示部と、
を含むことを特徴とするＴＶ。
【請求項２】
請求項１に記載のＴＶにおいて、
前記ＰＣは、ＰＣ用ＴＶチューナーを有し、
前記制御情報は、前記ＰＣ用ＴＶチューナーの受信ソフトが起動していない場合には起動させるための情報と、当該受信ソフトに所望のＴＶ番組を受信させるための情報と、前記ＰＣ用ＴＶチューナーによって受信されるＴＶ画像を含むウインドウを最大化するための情報と、当該ウインドウが最大化された状態で当該ウインドウに含まれる画像を表示するためのＰＣ画像信号を出力させるための情報とを含むことを特徴とするＴＶ。
【請求項３】
請求項１、２のいずれかに記載のＴＶにおいて、
前記ＴＶ用チューナーを含み、
前記画像生成部は、前記ＰＣ画像と、当該ＴＶ用チューナーによって受信された画像信号に基づくＴＶ画像とを含む前記マルチ画像を生成することを特徴とするＴＶ。
【請求項４】
請求項１〜３のいずれかに記載のＴＶにおいて、
日時を示す計時情報を生成するタイマー部を含み、
前記判定部は、前記計時情報に基づき、設定された日時になった場合に前記表示状況になったと判定することを特徴とするＴＶ。
【請求項５】
請求項１〜４のいずれかに記載のＴＶにおいて、
ユーザーの操作情報を入力する操作部を含み、
前記判定部は、前記操作情報に基づき、前記マルチ画像の表示指示があった場合に前記表示状況になったと判定することを特徴とするＴＶ。
【請求項６】
請求項１〜５のいずれかに記載のＴＶにおいて、
前記マルチ画像は、メイン画像と、当該メイン画像よりも小さいサブ画像とを含み、
前記画像生成部は、ユーザーの操作に応じて前記メイン画像として前記ＴＶ画像を表示し、前記サブ画像として前記ＰＣ画像を表示する前記マルチ画像または前記メイン画像として前記ＰＣ画像を表示し、前記サブ画像として前記ＴＶ画像を表示する前記マルチ画像を生成することを特徴とするＴＶ。
【請求項７】
請求項６に記載のＴＶにおいて、
音声出力部を含み、
前記ＰＣから前記ＰＣ画像信号に対応した音声信号を入力し、
前記判定部は、前記ＰＣ画像が前記メイン画像であるかどうかを判定し、
前記音声出力部は、前記ＰＣ画像が前記メイン画像である場合、前記ＰＣからの音声信号に基づく音声を出力することを特徴とするＴＶ。
【請求項８】
請求項１〜７のいずれかに記載のＴＶと、前記ＰＣとを含む表示システム。
【請求項９】
請求項８に記載の表示システムにおいて、
前記ＰＣは、
前記制御情報を入力する入出力部と、
前記ＰＣ画像信号を出力する信号出力部と、
最新の入力ソースを示すデータを記憶する記憶部と、
前記最新の入力ソースを示すデータに基づき、前記最新の入力ソースからの画像信号を前記ＰＣ画像信号として前記信号出力部に出力させる制御部と、
を含むことを特徴とする表示システム。
【発明の詳細な説明】
【技術分野】
【０００１】
本発明は、ＰＣからの画像を含む画像を表示するＴＶおよび表示システムに関する。
【背景技術】
【０００２】
ダブルチューナーを有しているＴＶは、２つの番組の画像を同時に表示することが可能である。
【０００３】
しかし、単独の番組しか視聴できないチューナーを有しているＴＶは、２つの番組の画像を同時に表示することはできない。
【０００４】
このような場合、ＴＶチューナーを有するＰＣ（Personal Computer）とＴＶ（Tele Vision）を接続してＰＣからのＴＶ画像と、ＴＶのチューナーによるＴＶ画像を同時に表示することが考えられる。
【０００５】
例えば、特開平１０−１３６２８２号公報では、ＴＶ画像とＰＣ画像を同時に表示することが記載されている。
【特許文献１】特開平１０−１３６２８２号公報
【発明の開示】
【発明が解決しようとする課題】
【０００６】
しかし、ＰＣ画像にはＴＶ画像だけではなく、表計算ソフトやブラウザ等のウインドウも含まれる場合があり、ＴＶは、ＰＣ画像をそのまま入力したのでは適切な画像を表示できない場合がある。
【０００７】
また、ＴＶは、ＰＣからのＴＶ画像を入力する場合、ＰＣに所望のＴＶ画像を出力させる必要がある。
【０００８】
本発明の目的は、ＴＶ自体が再生する画像と、ＰＣからの画像を同時かつより適切に表示することが可能なＴＶおよび表示システムを提供することにある。
【課題を解決するための手段】
【０００９】
上記課題を解決するため、本発明に係るＴＶは、
ＰＣ画像とＴＶ画像を含むマルチ画像の表示状況になったかどうかを判定する判定部と、
当該表示状況になった場合、ＰＣに所望の画像を含むウインドウを最大化して当該画像を表示するためのＰＣ画像信号を出力させるための制御情報を前記ＰＣに出力するとともに、前記ＰＣから前記ＰＣ画像信号を入力する入出力部と、
前記ＰＣ画像信号に基づくＰＣ画像と、内部に記憶された画像データに基づく画像信号またはＴＶ用チューナーによって受信された画像信号に基づくＴＶ画像とを含むマルチ画像を生成する画像生成部と、
当該マルチ画像を表示する表示部と、
を含むことを特徴とする。
【００１０】
また、本発明に係る表示システムは、
前記ＴＶと、前記ＰＣとを含むことを特徴とする。
【００１１】
本発明によれば、ＴＶ等は、ＰＣに所望の画像を含むウインドウを最大化して当該画像を表示するためのＰＣ画像信号を出力させることができるため、所望の画像を含むウインドウ以外を含まない画像を表示することができる。これにより、ＴＶ等は、ＴＶ自体が再生する画像と、ＰＣからの画像を同時かつより適切に表示することができる。
【００１２】
また、前記ＰＣは、ＰＣ用ＴＶチューナーを有し、
前記制御情報は、前記ＰＣ用ＴＶチューナーの受信ソフトが起動していない場合には起動させるための情報と、当該受信ソフトに所望のＴＶ番組を受信させるための情報と、前記ＰＣ用ＴＶチューナーによって受信されるＴＶ画像を含むウインドウを最大化するための情報と、当該ウインドウが最大化された状態で当該ウインドウに含まれる画像を表示するためのＰＣ画像信号を出力させるための情報とを含んでもよい。
【００１３】
これによれば、ＴＶ等は、ＰＣ用ＴＶチューナーの受信ソフトが起動していない場合には起動させることができるため、ＴＶ自体が再生する画像と、ＰＣからのＴＶ画像を同時かつより適切に表示することができる。
【００１４】
また、前記ＴＶは、前記ＴＶ用チューナーを含み、
前記画像生成部は、前記ＰＣ画像と、当該ＴＶ用チューナーによって受信された画像信号に基づくＴＶ画像とを含む前記マルチ画像を生成してもよい。
【００１５】
これによれば、ＴＶ等は、ＴＶ自体のＴＶ画像と、ＰＣからのＴＶ画像を同時かつより適切に表示することができる。また、これによれば、ＴＶ等は、ダブルチューナーを有していない場合であっても、複数の異なるＴＶ番組を同時に表示することができる。
【００１６】
また、前記ＴＶは、日時を示す計時情報を生成するタイマー部を含み、
前記判定部は、前記計時情報に基づき、設定された日時になった場合に前記表示状況になったと判定してもよい。
【００１７】
これによれば、ＴＶ等は、設定された日時になった場合に自動的にマルチ画像を表示することができる。特に、ＴＶ自体のＴＶ画像と、ＰＣからのＴＶ画像を同時に表示する場合に、ユーザーは、設定された日時になった場合に自動的に複数の異なるＴＶ番組を視聴することができる。
【００１８】
また、前記ＴＶは、ユーザーの操作情報を入力する操作部を含み、
前記判定部は、前記操作情報に基づき、前記マルチ画像の表示指示があった場合に前記表示状況になったと判定してもよい。
【００１９】
これによれば、ＴＶ等は、ユーザーの指示に応じてマルチ画像を表示することができる。
【００２０】
また、前記マルチ画像は、メイン画像と、当該メイン画像よりも小さいサブ画像とを含み、
前記画像生成部は、ユーザーの操作に応じて前記メイン画像として前記ＴＶ画像を表示し、前記サブ画像として前記ＰＣ画像を表示する前記マルチ画像または前記メイン画像として前記ＰＣ画像を表示し、前記サブ画像として前記ＴＶ画像を表示する前記マルチ画像を生成してもよい。
【００２１】
これによれば、ＴＶ等は、ユーザーの操作に応じてＰＣ画像とＴＶ画像の大きさを変更することができる。
【００２２】
また、前記ＴＶは、音声出力部を含み、
前記ＰＣから前記ＰＣ画像信号に対応した音声信号を入力し、
前記判定部は、前記ＰＣ画像が前記メイン画像であるかどうかを判定し、
前記音声出力部は、前記ＰＣ画像が前記メイン画像である場合、前記ＰＣからの音声信号に基づく音声を出力してもよい。
【００２３】
これによれば、ＴＶ等は、ＰＣ画像がメイン画像になった場合に当該ＰＣ画像に対応した音声を出力することができる。
【００２４】
また、前記ＰＣは、
前記制御情報を入力する入出力部と、
前記ＰＣ画像信号を出力する信号出力部と、
最新の入力ソースを示すデータを記憶する記憶部と、
前記最新の入力ソースを示すデータに基づき、前記最新の入力ソースからの画像信号を前記ＰＣ画像信号として前記信号出力部に出力させる制御部と、
を含んでもよい。
【００２５】
これによれば、ＴＶ１００は、最新の入力ソースからの画像信号に基づくＰＣ画像を表示することができる。
【発明を実施するための最良の形態】
【００２６】
以下、本発明をＴＶに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２７】
例えば、ＴＶ（Tele Vision）が１つの画像に複数の入力ソースから入力される複数の画像を表示する機能（いわゆるマルチ画面表示機能）を有し、１番組のみを表示可能なＴＶ用チューナーを有している場合、ユーザーは、ＴＶチューナーを有するＰＣ（Personal Computer）からの画像信号をＴＶに入力してマルチ画面表示を行うことにより、複数のＴＶ番組を同時に見ることができる。
【００２８】
本実施例では、ＰＣからの画像信号に基づくＰＣ画像と、ＴＶ用チューナーによって受信された画像信号に基づくＴＶ画像を含む画像をマルチ画像と呼ぶ。
【００２９】
図１は、従来のマルチ画像３００を示す図である。
【００３０】
例えば、従来のマルチ画像３００は、メイン画像表示領域に表示されるＴＶ画像３０２と、メイン画像表示領域よりも小さいサブ画像表示領域に表示されるＰＣ画像３０４を含む。しかし、従来のＴＶは、ＰＣを制御することなく、ＰＣからの画像信号をそのまま入力してしまう。このため、例えば、ＰＣでＴＶ画像を表示するウインドウ以外のアプリケーションソフトのウインドウを開いていると当該ウインドウもＰＣ画像３０４に含まれてしまい、ＴＶで表示すると見づらいマルチ画像３００になってしまう。
【００３１】
図２は、本実施例におけるマルチ画像４００を示す図である。
【００３２】
本実施例では、ＴＶが、ＰＣに対してＴＶ画像を表示するウインドウを最大化して当該ＴＶ画像を表示するためのＰＣ画像信号を出力させるための制御情報を出力する。これにより、ＰＣ画像４０４にＴＶ画像以外のウインドウが含まれなくなるため、メイン画像表示領域のＴＶ画像４０２、サブ画像表示領域のＰＣ画像４０４を含むマルチ画像４００はより見やすくなる。
【００３３】
次に、このような機能を実装したＴＶ１００およびＰＣ２００を含む表示システムの機能ブロックについて説明する。
【００３４】
図３は、本実施例における表示システムの機能ブロック図である。
【００３５】
ＴＶ１００は、ＰＣ２００との間で種々の情報を入出力する入出力部１１０と、種々の制御を行う制御部１２０と、日時を示す計時情報を生成するタイマー部１３０と、ユーザーの操作情報を入力する操作部１３２と、種々のデータを記憶する記憶部１４０と、種々の判定を行う判定部１５０とを含んで構成されている。なお、上記日時としては、日付のみ、時刻のみ、日付および時刻等の種々の形式のものを採用可能である。
【００３６】
また、ＴＶ１００は、アナログＴＶ番組およびデジタルＴＶ番組を視聴可能なＴＶ用チューナーであるチューナー部１６０と、ＰＣ２００から画像信号および音声信号を入力する信号入力部１７０と、マルチ画像４００を生成する画像生成部１８０と、マルチ画像４００を表示する表示部１８２と、音声生成部１９０と、音声出力部１９２とを含んで構成されている。
【００３７】
また、ＰＣ２００は、ＴＶ１００との間で種々の情報を入出力する入出力部２１０と、種々の制御を行う制御部２２０と、画像信号および音声信号を生成する信号生成部２３０と、画像信号および音声信号をＴＶ１００に出力する信号出力部２４０と、ＤＶＤプレーヤー等からの信号を入力する信号入力部２５０と、アナログＴＶ番組およびデジタルＴＶ番組を視聴可能なＰＣ用ＴＶチューナーであるチューナー部２６０と、種々のデータを記憶する記憶部２７０とを含んで構成されている。
【００３８】
なお、ＴＶ１００の各部の機能を実装するためのハードウェアとしては、例えば、以下のものを採用してもよい。例えば、入出力部１１０としてはＵＳＢインターフェース等、制御部１２０、判定部１５０としてはＣＰＵ等、タイマー部１３０としてはシステムタイマー等、操作部１３２としてはボタン、リモートコントローラ等、記憶部１４０としてはＲＡＭ、ＨＤＤ等、チューナー部１６０としては、アナログＴＶチューナー、デジタルＴＶチューナー等、信号入力部１７０としてはＨＤＭＩ（High Definition Multimedia Interface）端子等、画像生成部１８０としては画像処理回路等、表示部１８２としては液晶ディスプレイ等、音声生成部１９０としては音声処理回路等、音声出力部１９２としてはスピーカー等を採用してもよい。
【００３９】
また、ＰＣ２００の各部の機能を実装するためのハードウェアとしては、例えば、以下のものを採用してもよい。例えば、入出力部２１０としてはＵＳＢインターフェース等、制御部２２０としてはＣＰＵ等、信号生成部２３０としては画像処理回路、音声処理回路等、信号出力部２４０としてはＨＤＭＩ端子等、信号入力部２５０としてはＤ端子等、チューナー部２６０としては、アナログＴＶチューナー、デジタルＴＶチューナー等、記憶部２７０としてはＲＡＭ、ＨＤＤ等を採用してもよい。
【００４０】
もちろん、これらのハードウェアは、一例であり、これらに限定されるものではない。例えば、入出力部１１０と入出力部２１０との間の伝送路は、ＵＳＢケーブル等の有線伝送路であってもよいし、赤外通信等の無線伝送路であってもよい。また、信号入力部１７０と信号出力部２４０との間の伝送路はＨＤＭＩケーブルのように画像信号と音声信号を１本のケーブルで送信する伝送路であってもよいし、ＲＳ２３２Ｃケーブル等の画像信号用ケーブルで画像信号を伝送し、デジタル音声ケーブル等の音声信号用ケーブルで音声信号を伝送する伝送路であってもよい。
【００４１】
次に、図２に示すマルチ画像４００を表示するまでの処理手順について説明する。
【００４２】
図４は、本実施例におけるＴＶ１００での処理手順を示すフローチャートである。また、図５は、本実施例におけるＰＣ２００での処理手順を示すフローチャートである。
【００４３】
判定部１５０は、マルチ画像４００の表示状況になったかどうかを判定する（ステップＳ１）。具体的には、例えば、判定部１５０は、タイマー部１３０からの計時情報と、記憶部１４０に記憶された設定日時等を示す設定データに基づき、設定日時（例えば、９月１日２１時等）になったかどうかを判定し、設定日時になった場合にはマルチ画像４００の表示状況になったと判定してもよい。
【００４４】
また、例えば、判定部１５０は、操作部１３２からの操作情報に基づき、ユーザーからマルチ画像４００の表示指示があった場合にマルチ画像４００の表示状況になったと判定してもよい。また、この場合、駆動制御部１５０は、当該設定情報に基づいて記憶部１４０に設定データを記憶してもよい。
【００４５】
なお、設定データとしては、例えば、制御開始日時を示すデータ、ＰＣ２００のチューナー部２６０に第１のチャンネル（例えば、１チャンネル等）のＴＶ番組を受信させるためのデータ、ＴＶ１００のチューナー部１６０に第２のチャンネル（例えば、３チャンネル等）のＴＶ番組を受信させるためのデータ、チューナー部２６０の受信ソフトが起動していない場合に当該受信ソフトを起動させるためのデータ、チューナー部２６０によって受信されるＴＶ画像を含むウインドウを最大化するためのデータ、ＰＣ２００に画像信号を出力させるためのデータ、ＰＣ２００に最新の入力ソース（例えば、最新の受信チャンネル、ＤＶＤプレーヤーから信号を入力した状態でＰＣの電源がオフになった場合はＤＶＤプレーヤー等）の信号を出力させ、ＴＶ１００の最新の入力ソースを出力させるためのデータ等が該当する。なお、このような最新の入力ソースに関するデータは、記憶部１４０、記憶部２７０に記憶されてもよい。
【００４６】
また、操作部１３２は、設定データに関するユーザーの操作情報を入力し、判定部１５０は、当該操作情報に基づき、上記操作データを記憶部１４０に記憶してもよい。
【００４７】
そして、マルチ画像４００の表示状況になった場合、制御部１２０は、記憶部１４０に記憶された設定データに基づき、制御情報を生成し、入出力部１１０は、当該制御情報をＰＣ２００に出力する（ステップＳ２）。
【００４８】
ＰＣ２００の制御部２２０は、入出力部２１０に制御情報が入力されたかどうかを判定する（ステップＳ１１）。
【００４９】
そして、制御部２２０は、制御情報が入力された場合、当該制御情報で指示されている対象ウインドウが起動しているかどうかを判定する（ステップＳ１２）。例えば、制御情報が所定のチャンネルの受信を指示している場合、制御部２２０は、ＯＳ（Operating System）で管理されている起動中のプロセスを監視することにより、ＴＶ番組受信用アプリケーションが起動しているかどうかを判定する。また、例えば、制御情報が最新の入力ソースからの信号出力を指示している場合、制御部２２０は、記憶部２７０の最新の入力ソースを示すデータを参照して最新の入力ソースを判定し、信号入力部２５０、チューナー部２６０等を参照して最新の入力ソースから信号が出力されているかどうかを判定する。
【００５０】
対象ウインドウが起動していない場合、制御部２２０は、対象ウインドウを起動させる（ステップＳ１３）。具体的には、例えば、制御部２２０は、ＡＰＩ（Application Programming Interface）の起動命令を使用してＴＶ番組受信用アプリケーションを起動させたり、信号入力部２５０に信号切替命令を出力して最新の入力ソースから信号を入力させたりする。
【００５１】
そして、制御部２２０は、対象ウインドウが起動した状態で対象ウインドウを最大化（例えば、全画面表示等）する（ステップＳ１４）。具体的には、例えば、制御部２２０は、対象ウインドウをアクティブにし（最前面に移動し）、対象ウインドウを最大化する命令をＯＳに出力する。
【００５２】
そして、制御部２２０は、対象ウインドウを最大化した後、信号出力の準備が完了したことを示す通知情報を生成し、入出力部２１０は、当該通知情報をＴＶ１００に出力する（ステップＳ１５）。
【００５３】
また、信号生成部２３０は、対象ウインドウを示す画像信号および当該対象ウインドウに対応した音声信号を生成し、信号出力部２４０は、当該画像信号および当該音声信号をＴＶ１００に出力する（ステップＳ１６）。
【００５４】
判定部１５０は、入出力部１１０によって通知情報が入力されたかどうかを判定することにより、ＰＣ２００の信号出力の準備が完了したかどうかを判定する（ステップＳ３）。
【００５５】
ＰＣ２００の信号出力の準備が完了した場合、信号入力部１７０は、ＰＣ２００の信号出力部２４０からの画像信号および音声信号を入力する（ステップＳ４）。
【００５６】
制御部１２０は、記憶部１４０に記憶されたマルチ画像４００の設定データに応じて画像生成部１８０および音声生成部１９０を制御する。
【００５７】
具体的には、例えば、制御部１２０は、設定データが、ＴＶ画像４０２をメイン画像（大きい画像）にしてＰＣ画像４０４をサブ画像（小さい画像）にする設定である場合、画像生成部１８０に当該設定でマルチ画像４００を生成させる制御を行うとともに、音声生成部１９０にＴＶ１００内部（例えば、チューナー部１６０等）の音声信号を使用させる制御を行う。
【００５８】
また、例えば、制御部１２０は、設定データが、ＰＣ画像４０４をメイン画像にしてＴＶ画像４０２をサブ画像にする設定である場合、画像生成部１８０に当該設定でマルチ画像４００を生成させる制御を行うとともに、音声生成部１９０にＰＣ２００から入力された音声信号を使用させる制御を行う。
【００５９】
画像生成部１８０は、設定（制御部１２０からの制御命令）に応じてＰＣ画像４０４とＴＶ画像４０２を含むマルチ画像４００を生成する（ステップＳ５）。そして、表示部１８２は、マルチ画像４００を表示する（ステップＳ６）。
【００６０】
また、音声生成部１９０は、設定（制御部１２０からの制御命令）に応じて音声信号を生成し、音声出力部１９２は、当該音声信号に基づき、メイン画像の音声を出力する（ステップＳ７）。
【００６１】
以上のように、本実施例によれば、ＴＶ１００は、ＰＣ２００に所望の画像を含むウインドウを最大化して当該画像を表示するためのＰＣ画像信号を出力させることができるため、所望の画像を含むウインドウ以外を含まない画像を表示することができる。これにより、ＴＶ１００は、ＴＶ１００自体が再生する画像と、ＰＣ２００からの画像を同時かつより適切に表示することができる。
【００６２】
また、本実施例によれば、ＴＶ１００は、チューナー部２６０の受信ソフトが起動していない場合には起動させることができるため、ＴＶ１００自体が再生する画像と、ＰＣ２００からのＴＶ画像を同時かつより適切に表示することができる。
【００６３】
特に、本実施例によれば、ＴＶ１００は、ＴＶ１００自体のＴＶ画像と、ＰＣ２００からのＴＶ画像を同時かつより適切に表示することができる。これにより、ＴＶ１００は、ダブルチューナーを有していない場合であっても、複数の異なるＴＶ番組を同時に表示することができる。
【００６４】
さらに、本実施例によれば、ＴＶ１００は、設定日時になった際に自動的に複数の異なるＴＶ番組等を同時に表示することができる。これにより、ＴＶ１００は、ユーザーにとっての利便性を向上させることができる。
【００６５】
また、本実施例によれば、ＴＶ１００は、ユーザーの指示に応じた設定でマルチ画像４００を表示することができる。これにより、ＴＶ１００は、ユーザーにとっての利便性を向上させることができる。
【００６６】
また、本実施例によれば、ＴＶ１００は、ＴＶ１００の音声に代えてＰＣ２００から入力された音声を出力することができる。これにより、ＴＶ１００は、メイン画像がＴＶ画像４０２からＰＣ画像４０４に切り替わった場合であっても即座にＰＣ画像４０４に対応した音声を出力することができる。
【００６７】
さらに、本実施例によれば、ユーザーは、ＰＣ２００の操作を行うことなく、自動的にＰＣ２００から所望の信号をＴＶ１００に出力することができるため、ＴＶ１００は、ユーザーの利便性をより向上させることができる。
【００６８】
なお、本発明の適用は、上述した実施例に限定されず、種々の変形が可能である。
【００６９】
例えば、制御情報は、所望の画像を含むウインドウ以外のウインドウを閉じるための情報、所望の画像を含むウインドウ以外のウインドウを最小化するための情報であってもよい。
【００７０】
これによっても、不要なウインドウが表示されないため、ＴＶ１００は、ユーザーにとってより見やすいマルチ画像４００を表示することができる。
【００７１】
また、ＴＶ画像４０２、ＰＣ画像４０４は、チューナー部１６０、２６０によって受信される番組の画像に限定されず、例えば、インターネットを介して配信される番組の画像、ＤＶＤ、ＨＤＤ等に記録されたデータに基づく画像等であってもよい。
【００７２】
また、ＴＶ１００は、マルチ画像に代えてＰＣ画像４０４のみを表示したり、ＴＶ画像４０２のみを表示したりすることも可能である。
【図面の簡単な説明】
【００７３】
【図１】従来のマルチ画像を示す図である。
【図２】本実施例におけるマルチ画像を示す図である。
【図３】本実施例における表示システムの機能ブロック図である。
【図４】本実施例におけるＴＶでの処理手順を示すフローチャートである。
【図５】本実施例におけるＰＣでの処理手順を示すフローチャートである。
【符号の説明】
【００７４】
１００  ＴＶ、１１０、２１０  入出力部、１２０、２２０  制御部、１３０  タイマー部、１４０、２７０  記憶部、１６０  チューナー部（ＴＶ用チューナー）、１７０  信号入力部、１８０  画像生成部、１８２  表示部、１９０  音声生成部、１９２  音声出力部、２００  ＰＣ、２３０  信号生成部、２４０  信号出力部、２６０  チューナー部（ＰＣ用ＴＶチューナー）
【図１】
2008079112.tif 000003
【図２】
2008079112.tif 000004
【図３】
2008079112.tif 000005
【図４】
2008079112.tif 000006
【図５】
2008079112.tif 000007